(57)【要約】【課題】パッティング時のガイド機能を有するとともに携帯性を向上させることができるゴルフ練習用具を提供する。【解決手段】ゴルフ練習用具１が取付部２によってペットボトルＰＢの頭部に取り付けられることから、ペットボトルＰＢを脚部として利用することができ、全体の形状を簡略化するとともに小型化し、携帯性を向上させることができる。第２アーム部４が地面から離れた位置において水平面に沿って直線状に延びていることで、パッティング時のガイドとすることができる。【選択図】図４
2017121317.tif 000002
【特許請求の範囲】
【請求項１】
液体を収容可能な容器の頭部に直接的又は間接的に取り付けられる取付部と、
前記取付部に接続されるとともに前記容器から少なくとも水平方向において離れるように延びる第１アーム部と、
前記水平方向において前記取付部に対して所定の間隔をあけて前記第１アーム部に接続される第２アーム部と、を備え、
前記第２アーム部が地面から離れた位置において前記第１アーム部に交差して水平面に沿って直線状に延びるように、前記容器に取り付けられることを特徴とするゴルフ練習用具。
【請求項２】
前記第２アーム部は、前記第１アーム部に対して回転可能に接続されていることを特徴とする請求項１に記載のゴルフ練習用具。
【請求項３】
前記第２アーム部の上面には、当該第２アーム部の長手方向に沿った直線状のガイドマークが設けられていることを特徴とする請求項１又は２に記載のゴルフ練習用具。
【発明の詳細な説明】
【技術分野】
【０００１】
本発明は、ゴルフ練習用具に関する。
【背景技術】
【０００２】
従来、パッティング練習用のゴルフ練習用具として、脚部と、脚部によって支持されて地面から離れた位置で直線状に延びるガイド用の部材と、を備えたパッティング練習器具が提案されている（例えば、特許文献１参照）。特許文献１に記載されたパッティング練習器具は、ガイド用の部材によってボールと目標点とを結ぶように使用され、使用者がアドレスを修正することを意図して構成されている。
【先行技術文献】
【特許文献】
【０００３】
【特許文献１】特開２００１−５４６０６号公報
【発明の概要】
【発明が解決しようとする課題】
【０００４】
しかしながら、特許文献１に記載されたパッティング練習器具では、ガイド用の部材とボールとが干渉しないように、ガイド用の部材を地面から離れた位置で支持しなければならず、自立可能な脚部が必要であった。従って、パッティング練習器具は、このような脚部を備えることにより、形状が複雑化するとともに全体が大型化しやすく、携帯性に劣るという不都合があった。
【０００５】
本発明の目的は、パッティング時のガイド機能を有するとともに携帯性を向上させることができるゴルフ練習用具を提供することにある。
【課題を解決するための手段】
【０００６】
本発明のゴルフ練習用具は、液体を収容可能な容器の頭部に直接的又は間接的に取り付けられる取付部と、前記取付部に接続されるとともに前記容器から少なくとも水平方向において離れるように延びる第１アーム部と、前記水平方向において前記取付部に対して所定の間隔をあけて前記第１アーム部に接続される第２アーム部と、を備え、前記第２アーム部が地面から離れた位置において前記第１アーム部に交差して水平面に沿って直線状に延びるように、前記容器に取り付けられることを特徴とする。
【０００７】
以上のような本発明によれば、取付部によって容器の頭部に取り付けられることから、容器を脚部として利用することができ、全体の形状を簡略化するとともに小型化し、携帯性を向上させることができる。このとき、適宜な量の液体を収容した容器に本発明のゴルフ練習用具を取り付ければ、容器が転倒しにくい。また、ペットボトル等の容器は容易に入手することができるとともに、ゴルフ場等において使用者が携帯することが多く、本発明のゴルフ練習用具を使用することのみを目的として容器を持ち運ぶ必要性が低い。従って、専用の脚部を用いる構成と比較して利便性を向上させることができる。
【０００８】
また、第２アーム部は、地面から離れた位置において水平面に沿って直線状に延びることから、下方にボールを配置してパッティング時のガイドとすることができる。このとき、第２アーム部が取付部に対して所定の間隔をあけて第１アーム部に接続され、第１アーム部に対して交差していることから、第２アーム部は容器と離れて配置されるとともにその延長線上に容器が位置することがない。従って、第２アーム部をガイドとしてパッティングする際に、パターと容器とを干渉しにくくすることができる。このように、本発明のゴルフ練習用具はパッティング時のガイド機能を有する。
【０００９】
また、本発明のゴルフ練習用具では、前記第２アーム部は、前記第１アーム部に対して回転可能に接続されていることが好ましい。このような構成によれば、第１アーム部と第２アーム部との交差角度を調節することができる。即ち、使用時には第１アーム部と第２アーム部との交差角度を９０°に近づけることにより、第２アーム部と容器とをより離隔させて干渉を抑制することができる。また、収納時には第１アーム部と第２アーム部との交差角度を０°に近づけることにより、全体をコンパクト化して携帯性をさらに向上させることができる。
【００１０】
さらに、本発明のゴルフ練習用具では、前記第２アーム部の上面には、当該第２アーム部の長手方向に沿った直線状のガイドマークが設けられていることが好ましい。このような構成によれば、ガイドマークによってパッティング時のガイド機能を向上させ、使用者がアドレスを修正しやすくなる。
【発明の効果】
【００１１】
以上のような本発明のゴルフ練習用具によれば、取付部によって容器の頭部に取り付けられることで携帯性を向上させることができる。
【図面の簡単な説明】
【００１２】
【図１】本発明の実施形態に係るゴルフ練習用具を示す斜視図である。
【図２】前記ゴルフ練習用具の要部を示す斜視図である。
【図３】収納状態の前記ゴルフ練習用具を示す斜視図である。
【図４】前記ゴルフ練習用具の使用例を示す斜視図である。
【発明を実施するための形態】
【００１３】
以下、本発明の実施形態を図面に基づいて説明する。本実施形態のゴルフ練習用具１は、図１に示すように、容器としてのペットボトルＰＢに取り付けて使用されるものであって、取付部２と、第１アーム部３と、第２アーム部４と、を備える。尚、本実施形態において、ゴルフ練習用具１の各部と鉛直方向、水平面、及び、鉛直方向における上下との関係は、特に記載がない限り、ゴルフ練習用具１をペットボトルＰＢに取り付けた状態を基準とする。
【００１４】
取付部２は、例えばポリビニルによって形成され、上面部２１と側面部２２とを有してキャップ状に形成されている。取付部２は、ペットボトルＰＢの頭部に設けられるキャップ部に対し、さらに上方から覆うように取り付けられることにより、ペットボトルＰＢの頭部に間接的に取り付けられる。尚、取付部は、ペットボトルＰＢのキャップ部と一体的に構成されてペットボトルＰＢの頭部に直接的に取り付けられるものであってもよい。上面部２１は水平面に沿って延びる。
【００１５】
第１アーム部３は、例えばアルミニウムやアルミニウム合金によって帯板状に形成され、一端３１が取付部２の上面部２１に上側から重ねられて接続されるとともに、他端３２が第２アーム部４に接続されている。また、第１アーム部３の一端３１および取付部２の上面部２１にはボルト孔が形成され、このボルト孔にボルト５を挿通してナットを螺合させることにより、第１アーム部３は、取付部２に対して上面部２１に沿った面内で（即ち鉛直方向に沿った回転軸を中心に）回転可能に接続される。第１アーム部３は、水平面内の一方向に沿って延びることで、ペットボトルＰＢから水平方向において離れるように直線状に延びている。
【００１６】
第１アーム部３の上面には、長手方向に沿った直線状のマーク３３が形成されている。マーク３３は、第１アーム部３の上面が彫り込まれることで形成されるものとするが、これに限らず、例えば浮彫によって形成されてもよいし、塗装によって形成されてもよいし、シール等が貼付されて形成されてもよいし、これらが適宜に組み合わされてもよい。
【００１７】
第２アーム部４は、例えばアルミニウムやアルミニウム合金によって帯板状に形成され、長手方向の中央近傍の接続部４１において第１アーム部３の上面に重ねられて接続されている。また、接続部４１および第１アーム部３の他端３２にはボルト孔が形成され、このボルト孔に上方からボルト６を挿通して下方から蝶ナット７を螺合させる（図２参照）ことにより、第２アーム部４は、第１アーム部３に対してその上面に沿った面内で（即ち鉛直方向に沿った回転軸を中心に）回転可能に接続される。即ち、第１アーム部３の長手方向と第２アーム部４の長手方向との交差角度が調節可能となっている。第２アーム部４は、水平面内で直線状に延びている。
【００１８】
ボルト６は、座金を介して又は直接的に第２アーム部４の上面に対して固定され、回動不能となっている。従って、使用者が蝶ナット７を回転させることで締め付け力を容易に調節することができるようになっている。例えば、後述するように第１アーム部３に対して第２アーム部４を回転させる際には蝶ナット７を緩めて回転させやすくしてもよいし、ゴルフ練習用具１を携帯したり使用したりする際には蝶ナット７を締め付けて意図しない回転を抑制してもよい。
【００１９】
第２アーム部４の上面には、長手方向に沿った直線状のガイドマーク４２が形成されている。ガイドマーク４２は、第２アーム部４の上面が彫り込まれることで形成されるものとするが、これに限らず、例えば浮彫によって形成されてもよいし、塗装によって形成されてもよいし、シール等が貼付されて形成されてもよいし、これらが適宜に組み合わされてもよい。
【００２０】
ここで、第１アーム部３及び第２アーム部４の長手方向寸法、並びに、これらの関係について説明する。まず、第１アーム部３の長手方向寸法は、１５ｃｍ〜２５ｃｍ程度であることが好ましく、例えば約２０ｃｍに設定されている。この長手方向寸法は、後述するようにパターのヘッドとペットボトルＰＢとの干渉を抑制するために、ヘッドのフェースの幅よりも大きいことが好ましい。即ち、第１アーム部３の長手方向寸法が小さすぎるとヘッドとペットボトルＰＢとが干渉しやすくなってしまい、大きすぎると全体が大型化して収納しにくくなってしまう。
【００２１】
第２アーム部４の長手方向寸法は、３０ｃｍ〜５０ｃｍ程度であることが好ましく、例えば約４０ｃｍに設定されている。また、第２アーム部４の一端４３から接続部４１までの寸法は、第１アーム部３と取付部２と接続位置から接続部４１までの寸法よりも小さく設定され、例えば約１７ｃｍとなっている。即ち、第２アーム部４と第１アーム部３との長手方向を略一致させた場合（図３参照）に、第２アーム部４の一端４３が、第１アーム部３と取付部２とを接続するボルト５に干渉しないようになっている。
【００２２】
第２アーム部４の一端４３から接続部４１までを重ね部４５とし、接続部４１から他端４４までを非重ね部４６とする。非重ね部４６の長手方向寸法は、第２アーム部４全体が適宜な長手方向寸法となるように設定されればよい。本実施形態では、非重ね部４６は重ね部４５よりも長いものとするが、同等であってもよいし、短くてもよい。
【００２３】
尚、アーム部３、４は、その他の金属や樹脂等によって形成されていてもよい。またアーム部３、４は、一方向に延びる形状を有していればよく、棒状であってもよい。
【００２４】
以下、ゴルフ練習用具１の使用方法の一例について説明する。ゴルフ練習用具１を携帯する際には、図３に示すような収納状態とする。即ち、第１アーム部３に対して第２アーム部４を回転させ、これらが重なった（即ち、交差角度が約０°となった）状態とする。収納状態のゴルフ練習用具１は、アーム部３、４をバッグの隙間やポケット等に差し込むことにより容易に携帯することができる。
【００２５】
ゴルフ練習用具１を使用する際には、まず、図１、４に示すような使用状態とする。即ち、第１アーム部３に対して第２アーム部４を回転させ、これらが略直交した状態とする。このとき、使用者は目視によって直角を判断するが、角度合わせ用の印等が第１アーム部３及び第２アーム部４のうち少なくとも一方に形成されていてもよい。さらに、取付部２をペットボトルＰＢに取り付ける。このとき、ペットボトルＰＢには、ゴルフ練習用具１を取り付けても転倒しないような重量を有するように液体が収納されているものとする。尚、ペットボトルＰＢの中に本来の飲料等が充分に残っている場合には、そのまま使用すればよく、空のペットボトルＰＢを用いる場合には、適宜な量の他の液体（例えば水道水）を注入すればよい。ゴルフ練習用具１を使用状態とする工程と、取付部２ペットボトルＰＢに取り付ける工程と、はいずれが先であってもよい。
【００２６】
次に、図４に示すような目標地点Ｇから適宜な距離だけ離れた位置に、ゴルフ練習用具１が取り付けられたペットボトルＰＢを起立させて配置する。さらに、第２アーム部４の延長線上に目標地点Ｇが位置するように、ペットボトルＰＢを適宜に回動させる。このとき、第２アーム部４の他端４４側が目標地点Ｇを向いているものとするが、一端４３側が目標地点Ｇを向いていてもよい。このとき、第２アーム部４は、地面から離れた位置において、水平面内の一方向に沿って直線状に延びている。
【００２７】
このように配置したゴルフ練習用具１に対し、第１アーム部３と第２アーム部４とが交差する接続部４１の下方にボールＢを配置する。このような状態で使用者はパッティング練習を行う。このとき、第２アーム部４はボールＢと目標地点Ｇとを結ぶ仮想的な直線に沿って延びている。従って、パッティング練習時に使用者がアドレスを修正できるようになっている。さらに、第１アーム部３はこの仮想的な直線に対して略直交しており、パターＰのヘッドＨのフェースを第１アーム部３のマーク３３に合わせることにより、フェースを目標地点Ｇに向けやすくすることができる。尚、ボールＢは、接続部４１の下方に限らず、例えば一端４３の下方に配置されてもよい。
【００２８】
また、第１アーム部３の各端部に取付部２及び第２アーム部４が接続されるとともに第１アーム部３と第２アーム部４とが略直交していることで、第２アーム部４が第１アーム部３の長さと同程度だけペットボトルＰＢと離れた位置に配置されるとともに、第２アーム部４の延長線上にペットボトルＰＢは配置されない。従って、パッティング時にヘッドＨがペットボトルＰＢに干渉しにくくなっている。
【００２９】
このような本実施形態によれば、以下のような効果がある。即ち、ゴルフ練習用具１が取付部２によってペットボトルＰＢの頭部に取り付けられることから、ペットボトルＰＢを脚部として利用することができ、全体の形状を簡略化するとともに小型化し、携帯性を向上させることができる。
【００３０】
さらに、第２アーム部４が第１アーム部３に対して回転可能に接続されていることで、ゴルフ練習用具１を使用状態として第２アーム部４と容器とをより離隔させて干渉を抑制したり、収納状態として全体をコンパクト化して収納したりすることができる。
【００３１】
また、第２アーム部４の上面にガイドマーク４２が形成されていることで、パッティング時のガイド機能を向上させ、使用者がアドレスを修正しやすくなる。
【００３２】
なお、本発明は、前記実施形態に限定されるものではなく、本発明の目的が達成できる他の構成等を含み、以下に示すような変形等も本発明に含まれる。例えば、前記実施形態では、第２アーム部４が第１アーム部３に対して回転可能に接続されているものとしたが、第２アーム部は第１アーム部に対して回動不能に接続されてもよい。このような構成によれば、例えば第１アーム部と第２アーム部とを一体に形成して部品点数を削減したり、別体の第１アーム部と第２アーム部とを強固に固定して外力に対する強度を向上させたりすることができる。また、第１アーム部と第２アーム部とが分離及び組み付け可能に構成されていてもよい。
【００３３】
また、前記実施形態では、第２アーム部４の上面にガイドマーク４２が形成されるものとしたが、例えば第２アーム部の幅が充分に小さく、第２アーム部自体が高いガイド機能を有する場合には、ガイドマークは省略されてもよい。このような構成によれば、第２アーム部の形状等を簡単化することができる。
【００３４】
また、前記実施形態では、第１アーム部３が水平面内の一方向に沿って直線状に延びるものとしたが、第１アーム部は直線状に延びていなくてもよい。また、第１アーム部は水平面に対して傾斜を有していてもよい。即ち、高さ寸法が大きいペットボトルＰＢに対応するために、下降するような傾斜を有する第１アーム部を採用したり、高さ寸法が小さいペットボトルＰＢに対応するために、上昇するような傾斜を有する第１アーム部を採用したりし、第２アーム部が地面と適宜な寸法だけ離れるようにしてもよい。
【００３５】
また、前記実施形態では、容器としてペットボトルＰＢを例示したが、ゴルフ練習用具が取り付けられる容器は、液体を収容可能であるとともに適宜な高さ寸法を有するものであればよく、缶等であってもよい。また、取付部を容器の頭部の形状や寸法に対応したものとすればよい。
【００３６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３７】
１          ゴルフ練習用具
２          取付部
３          第１アーム部
４          第２アーム部
４２        ガイドマーク
ＰＢ        ペットボトル（容器）
【図１】
2017121317.tif 000003
【図２】
2017121317.tif 000004
【図３】
2017121317.tif 000005
【図４】
2017121317.tif 000006